(57)【要約】【課題】従来のシートホルダは、構造体に対する着脱性に問題があった。【解決手段】構造体Ａ１の竪壁ｂの上端に装着してシートＳを垂下状態に保持するものであって、基板１と、基板１の背面側において同基板１に上端を連結した係止片２と、基板１の正面側において同基板１に上端及び側端のいずれか一方を回動自在に連結した保持片３とを備え、基板１及び保持片３の相対向する位置に、マグネット４と磁性体５とを相対的に設けた構成とし、構造体Ａ１に対する着脱作業やシートＳの着脱作業が容易であり、使い勝手が良好であるシートホルダＨ１を提供する。【選択図】図１
2017154332.tif 000002
【特許請求の範囲】
【請求項１】
構造体の竪壁の上端に装着してシートを垂下状態に保持するものであって、
基板と、基板の背面側において同基板に上端を連結した係止片と、基板の正面側において同基板に上端及び側端のいずれか一方を回動自在に連結した保持片とを備え、
基板及び保持片の相対向する位置に、マグネットとマグネットが吸着する磁性体とを相対的に設けたことを特徴とするシートホルダ。
【請求項２】
係止片が、背面方向に曲成した装着用片を有すると共に、
保持片が、正面方向に曲成した操作用片を有していることを特徴とする請求項１に記載のシートホルダ。
【発明の詳細な説明】
【技術分野】
【０００１】
本発明は、いわゆるＰＯＰ用品として、店舗等において宣伝広告用のシート又はシート類を垂下状態に保持するのに用いられるシートホルダに関するものである。
【背景技術】
【０００２】
従来のシートホルダとしては、例えば、ラベル及びサインのホルダーの名称で、特許文献１に記載されているものがある。特許文献１に記載のホルダは、本体パネルと、本体パネルの下端に回動部を介して連結した透明なカバー部材とを備え、本体パネルとカバー部材との間にラベルを収容するポケットを有している。このホルダは、本体パネルの背面に設けた粘着性テープにより、商品棚の正面に貼り付けられる。また、ホルダは、カバー部材の上下に係合部を有し、この係合部に、吊り下がりサイン、又はサインを保持するサインホルダーを係合して保持する構造である。
【先行技術文献】
【特許文献】
【０００３】
【特許文献１】特表２００４−５３６３４６号公報
【発明の概要】
【発明が解決しようとする課題】
【０００４】
しかしながら、上記したような従来のシートホルダは、粘着性テープにより商品棚等の構造体に直接貼り付けると共に、サイン又はサインホルダを係止する構成であるため、構造体に対する着脱性が考慮されていないうえに、粘着性テープの接着剤により構造体を汚損する虞があり、また、吊り下げるものに係止用の部品を設けなければならないという問題点があることから、これらの問題点を解決することが課題であった。
【０００５】
本発明は、上記従来の課題に着目して成されたものであって、構造体に対する着脱作業やシートの着脱作業を容易に行うことができ、使い勝手が良好であるシートホルダを提供することを目的としている。
【課題を解決するための手段】
【０００６】
本発明に係わるシートホルダは、構造体の竪壁の上端に装着してシートを垂下状態に保持するものであって、基板と、基板の背面側において同基板に上端を連結した係止片と、基板の正面側において同基板に上端及び側端のいずれか一方を回動自在に連結した保持片とを備え、基板及び保持片の相対向する位置に、マグネットとマグネットが吸着する磁性体とを相対的に設けたことを特徴としている。
【０００７】
また、本発明に係わるシートホルダは、より好ましい実施形態として、係止片が、背面方向に曲成した装着用片を有すると共に、保持片が、正面方向に曲成した操作用片を有していることを特徴としている。
【０００８】
上記のシートホルダは、構造体の竪壁に対して、その上側から係止片を引っ掛けるようにして装着され、また、全体を持ち上げれば、竪壁から係止片が離脱する。また、シートホルダは、マグネットと磁性体の吸着力に抗して、保持片を基板から剥がすように回動させることができ、マグネットと磁性体との間でシートの上端部を挟持して、同シートを垂下状態に保持する。
【発明の効果】
【０００９】
本発明に係わるシートホルダは、上記構成を採用したことから、構造体に対する着脱作業やシートの着脱作業を容易に行うことができ、使い勝手が良好なものとなる。また、シートホルダは、別の部品が不要であり、構造が簡単である。
【００１０】
さらに、シートホルダは、係止片が装着用片を有し、且つ保持片が操作用片を有する構成にすることで、構造体の竪壁に対する装着性をより高めることができ、また、シートを着脱する際の保持片の取り扱いを容易に行うことができる。
【図面の簡単な説明】
【００１１】
【図１】本発明に係わるシートホルダの第１実施形態を説明する側面図（Ａ）、及び保持片を回動させた状態を示す側面図（Ｂ）である。
【図２】図１に示すシートホルダの側面図（Ａ）、正面図（Ｂ）、及び背面図（Ｃ）である。
【図３】本発明に係わるシートホルダの第２実施形態を説明する側面図（Ａ）、及び正面図（Ｂ）である。
【図４】本発明に係わるシートホルダの第３実施形態を説明する側面図（Ａ）、正面図（Ｂ）、及び保持片を回動させた状態を示す平面図（Ｃ）である。
【発明を実施するための形態】
【００１２】
〈第１実施形態〉
図１及び図２に示すシートホルダＨ１は、構造体Ａ１の竪壁Ｂの上端に対して、シートＳを垂下状態に保持するものである。図示例の構造体Ａ１は、店舗等の商品棚であり、その正面に枠としての竪壁Ｂを有している。また、シートＳは、例えば商品の広告等が表示してあり、その材料が限定されるものではないが、代表的には紙や樹脂シートである。
【００１３】
シートホルダＨ１は、図１に示すように、平坦な竪の基板１と、基板１の背面側（図１中で左側）において同基板１に上端を連結した係止片２と、基板１の正面側において同基板１に上端及び側端のいずれか一方を回動自在に連結した保持片３とを備えている。そして、シートホルダＨ１は、基板１及び保持片３の相対向する位置に、マグネット４とマグネット４が吸着する磁性体５とを相対的に設けた構成である。
【００１４】
シートホルダＨ１は、図２（Ｂ）及び（Ｃ）に示すように、横方向に適宜の長さを有すると共に、例えば、基板１、係止片２及び保持片３がプラスチック製であり、少なくとも基板１及び係止片２を一体成形したものである。このため、基板１及び係止片２は、互いの上端部で連続しており、長手方向に同一断面を有している。  
【００１５】
係止片２は、基板１の上端に連続し且つ下方に延出しており、図示例では、上端側に、背面方向に膨出するように湾曲した弾性部２Ａを有し、弾性部２Ａの下端に、屈曲部２Ｂにより背面方向に曲成した装着用片２Ｃを有している。これにより、係止片２は、図１及び図２（Ａ）に示す側面において、基板１との間に、下方に開放された隙間を形成し、弾性部２Ａにより、基板１に近接離間する方向に弾性変形させることが可能である。なお、図示例の係止片２は、その下端部が、基板１の下端部よりも上位側にある。
【００１６】
保持片３は、基板１の正面側において、同基板１の上端に回動自在に連結してある。図示例の保持片３は、柔軟性を有する連結部材６により、基板１の上端部に連結してある。シート部材６は、例えば樹脂製シートであり、基板１に対して保持片３を回動自在に連結する。また、保持片３は、その下端部に、正面方向に曲成した操作用片３Ａを有している。なお、図示例の保持片３は、その下端部が、基板１の下端部よりも上位側にある。
【００１７】
そして、上記の基板１及び保持片３には、互いに対向する位置に、マグネット４と磁性体５とを相対的に備えている。すなわち、基板１の正面には、マグネット４が貼り付けてある。他方、保持片３の背面には、磁性体５が貼り付けてある。ここで、基板１の正面及び保持片３の背面には、マグネット４及び磁性体５の下端部を夫々位置決めするための突起１Ｔ，３Ｔが設けてある。
【００１８】
上記のマグネット４は、短冊状のマグネットシートである。また、磁性体５は、同じく短冊状を成しており、マグネット４が吸着可能であれば、材料等がとくに限定されるものではなく、マグネット４と同様のマグネットシートや、薄い金属板などを用いることができる。なお、マグネット４及び磁性体５は、基板１及び保持片３に対する配置関係を逆にしても構わない。
【００１９】
上記構成を備えたシートホルダＨ１は、図１（Ａ）に示すように、構造体Ａ１の竪壁Ｂに対して、その上側から係止片２を引っ掛けるようにして装着され、基板１と係止片２で竪壁Ｂを挟持する。この際、シートホルダＨ１は、係止片２の下端に装着用片２Ｃを有しているので、例え目視しなくても、基板１と係止片２との隙間の開放部分を竪壁Ｂに容易に合わせて装着することができる。
【００２０】
また、シートホルダＨ１は、図１（Ｂ）に示すように、マグネット４と磁性体５の吸着力に抗して、保持片３を基板１から剥がすように上方に回動させ、この状態でシートＳの上端部を基板１のマグネット４に合わせた後、保持片３を下方に戻すことにより、マグネット４と磁性体５との間でシートＳの上端部を挟持して、同シートＳを垂下状態に保持する。この際、シートホルダＨ１は、保持片３の下端に操作用片３Ａを有しているので、操作用片３Ａに指を掛けることで、保持片３を容易に回動させることができる。
【００２１】
さらに、シートホルダＨ１は、上記の如く保持片３を上方に回動させることで、シートＳの保持が簡単に解除され、シートＳの交換を行うことができる。さらに、シートホルダＨ１は、全体を持ち上げることにより、竪壁Ｂから係止片が離脱して容易に取り外すことができる。
【００２２】
このように、上記のシートホルダＨ１は、構造体Ａ１に対する着脱作業やシートＳの着脱作業を極めて容易に行うことができ、使い勝手が非常に良好なものとなる。また、シートホルダＨ１は、別の部品が一切不要であり、構造が簡単である。これにより、製造コストの低減などにも貢献することができる。
【００２３】
また、上記のシートホルダＨ１は、装着用片２Ｃを有する係止片２、及び操作用片３Ａを有する保持片３を採用することで、構造体Ａ１の竪壁Ｂに対する装着性がより高められると共に、シートＳを着脱する際の保持片３の取り扱いがより一層容易になる。
【００２４】
図３及び図４は、本発明に係わるシートホルダの第２及び第３の実施形態を説明する図である。なお、以下の各実施形態において、第１実施形態と同一の構成部位は、同一符号を付して詳細な説明を省略する。
【００２５】
〈第２実施形態〉
図３（Ａ）に示すシートホルダＨ２は、構造体Ａ２の上端部に装着される。図示例の構造体Ａ２は、ボードであって、いわば全体が竪壁（Ｂ）である。また、シートホルダＨ２は、図３（Ｂ）に示すように、保持片３の正面に、プライスカード等のカードＣを収容するための透明なポケット部７を有している。
【００２６】
上記のシートホルダＨ２にあっても、先の実施形態と同様に、構造体Ａ２に対する着脱作業やシートＳの着脱作業を極めて容易に行うことができ、さらに、ポケット部７の採用により、使い勝手がさらに良好なものとなる。
【００２７】
〈第３実施形態〉
図４に示すシートホルダＨ３は、第１及び第２の実施形態では、保持片３を上下に回動させる構成であったのに対して、保持片３を水平方向に回動させる構成である。すなわち、シートホルダＨ３は、基板１の正面側において同基板１に側端を回動自在に連結した保持片３を備えている。
【００２８】
図示例の保持片３は、柔軟性を有する連結部材６により、基板１の一方の側端に連結してある。また、保持片３は、その上下の端部に、正面方向に曲成した操作用片３Ａ，３Ａを夫々有している。
【００２９】
上記のシートホルダＨ３は、先の実施形態と同様に、構造体Ａ２に対する着脱作業やシートＳの着脱作業を極めて容易に行うことができ、使い勝手が良好なものとなる。また、上記のシートホルダＨ３は、保持片３の上下に操作用片３Ａ，３Ａを有しているので、マグネット４と磁性体５の吸着力に抗して、保持片３を基板１から剥がすように水平方向に回動させる際、保持片３が掴み易く、操作が確実で且つ容易なものとなる。なお、上記のように保持片３を水平方向に回動させる場合、保持片３の回動先端側の側部（連結部材６とは反対側の側部）に操作用片を設けることも有効である。
【００３０】
本発明に係わるシートホルダは、具体的な構成が上記各実施形態に限定されるものではなく、本発明の要旨を逸脱しない範囲で、各部の形態や材料などの構成を適宜変更することが可能である。シートホルダは、例えば、基板に対して複数の保持片を回動可能に設けたり、マグネットや磁性体を複数箇所に設けたりすることができる。また、シートホルダは、基板にマグネットを配置し、保持片自体を磁性体で形成しても良い。
【符号の説明】
【００３１】
Ａ１，Ａ２  構造体
Ｂ  竪壁
Ｈ１，Ｈ２，Ｈ３  シートホルダ
Ｓ  シート
１  基板
２  係止片
２Ｃ  装着用片
３  保持片
３Ａ  操作用片
４  マグネット
５  磁性体
【図１】
2017154332.tif 000003
【図２】
2017154332.tif 000004
【図３】
2017154332.tif 000005
【図４】
2017154332.tif 000006